(57)【特許請求の範囲】
【請求項１】
帯状輪体と、この帯状輪体の上縁から上内方に向かって斜めに突出して羽に引っ掛る鉤爪突起と、前記帯状輪体から吊下げた取付け片に取付けた個体情報の記録部とで構成することを特徴とする家禽用個体識別バンド。
【請求項２】
前記鉤爪突起は、２本が近接して並び、相互間に羽根軸を嵌込む隙間を形成する請求項１記載の家禽用個体識別バンド。
【請求項３】
前記近接して並ぶ２本の鉤爪突起は、これら対が帯状輪体の周方向で、間隔を存して複数個所に設ける請求項２記載の家禽用個体識別バンド。
【請求項４】
帯状輪体は、合成樹脂製帯片にその先端部からの差込みを行う貫通孔部をトンネル状に形成して、この貫通孔部に先端部からの差込みをして端部相互の重ね合わせで輪を形成する請求項１ないし請求項３のいずれかに記載の家禽用個体識別バンド。
【請求項５】
貫通孔部は断面コ字形の切り起こしトンネルによるものである請求項４記載の家禽用個体識別バンド。
【請求項６】
前記帯状輪体には、貫通孔部に差込みをした先端部の後戻り阻止片を形成した請求項４または請求項５に記載の家禽用個体識別バンド。
【請求項７】
後戻り阻止片は、帯状輪体の縁を切り起こして形成する跳上げ細片であり、この跳上げ細片は貫通孔部通過後に挿入方向とは逆向きに跳上がり、貫通孔部開口に係止する請求項６記載の家禽用個体識別バンド。
【請求項８】
後戻り阻止片は、大きな引張り力により破断可能とする請求項６または請求項７に記載の家禽用個体識別バンド。
【請求項９】
合成樹脂製帯片の先端部近くに幅方向への溝を形成し、この溝を貫通孔部に差込みをした先端部の仮止用とする請求項４ないし請求項８のいずれかに記載の家禽用個体識別バンド。
【発明の詳細な説明】
【技術分野】
【０００１】
本発明は、鶏などの複数羽の家禽について，家禽毎の成長過程に関する家禽管理情報を管理することができる家禽個体管理システムで使用する個体識別用バンドに関するものである。
【背景技術】
【０００２】
下記特許文献１には、複数羽の家禽について家禽毎の成長過程に関する家禽管理情報を管理することができる家禽個体管理システムが提案されている。
【特許文献１】特開２００６−８１４９５号公報
【０００３】
この家禽個体管理システムは、複数羽の家禽にそれぞれ付着可能で、家禽毎に異なる識別コードを記憶可能で、且つ、非接触方式によるデータ通信が可能な記憶タグを使用するものであり、リーダ手段でその記憶タグから非接触方式により識別コードを読取り、且つその読取った識別コードをリーダ手段提示に提示し、記憶手段でそのリーダ手段により読取られる識別コードに対応つけて家禽毎の成長過程に関する家禽管理情報を記憶する。
【０００４】
また、出力手段で、記憶手段へ識別コードに対応つけて家禽管理情報を入力する入力手段により前記記憶手段へ記憶された家禽管理情報を管理者に提示する。
【０００５】
近年、トリインフルエンザ（鳥インフルエンザ：別名 家禽ペスト）の問題が大きく取り上げられている。
【０００６】
鳥インフルエンザは、インフルエンザ ウイルス（ＡＩウイルス）の感染による家禽（かきん）類を含む鳥類の疾病であり、感染の状況は、症状的には非常に多岐にわたっている。 
【０００７】
このインフルエンザ ウイルス（ＡＩウイルス）が鶏飼育施設の周辺に飛来する野鳥が保有する病原菌、海外旅行者が保有する病原菌、又は、海外輸入品に混入したり付着した病原菌である場合、国内へ侵入するケースが増加しており、これらの病原菌が鶏に二次感染したと推測される事案も国内にて確認されている。また、現在国内で確認されている病原菌の他にも、今後、新たな病原菌に鶏が感染する可能性も多々存在している。
【０００８】
そこで、鶏の生産現場においては、鶏への病原菌感染を予防するため、鶏飼育施設への入場者を制限したり、施設内への入場車両を消毒したり、施設内専用作業者を在中させたり、一羽ごと鶏にワクチン接種するなどの対策が行われている。なかでも鶏へのワクチン接種は、病原菌の感染予防法として大きな効果を奏するものであるが、鶏へ接種すべきワクチンの種類は多種多様であり、鶏が成鳥になるまでに複数回実施される。
【０００９】
このような鶏へのワクチン接種は、主に、鶏の雛が産卵可能な成鳥（例えば、生後１２０日程度）になるまでの期間に一通り実施される。具体的には、鶏へのワクチン注射、ワクチン投与、ワクチン点眼、ワクチンのスプレー散布などが行われる。なお、成鳥となった鶏に対するワクチン接種は鶏卵の生産現場ではほとんど行われない。ワクチン接種が鶏への一種のストレスとなるため、産卵周期が乱れて生産性が低下するからである。
【００１０】
一方、家禽の一種である鶏の卵の生産現場では、生産コスト削減を図るため、多数羽の鶏の一斉飼育が行われ、飼育現場の機械化も進められている。このため、飼育現場の作業者一人当たりが飼育する鶏の羽数も増加し、作業負担が増大している。また、鶏からの採卵効率を高めるため、単位面積当たりの鶏の収容羽数も増大の傾向にあり、鶏一羽当たりの専有スペースが徐々に狭まっている。
【００１１】
例えば、飼育施設の中には、飼育用ケージを複数区画に仕切ってその各区画にそれぞれ二羽から十数羽の鶏をまとめて収容することによって、数万羽から数百万羽の鶏を飼育するものもある。このため、鶏同士の間での細菌感染も発生しやすくなり、鶏の疾病発症率も増大してきている。
【００１２】
鶏の病原菌感染または発病の判断は、現在、目視、触手、又は採血による診断方法が採られており、特に、鶏の体内に病原菌やそれに対する抗体の有無を判断する場合には、採血検査によるしか方法がない。この採血検査は、例えば、複数羽の鶏を数羽から数十羽単位の個体群（グループ）に形式上区分して、その個体群毎に代表となる一数羽の鶏を抽出して、各個体群毎に抽出された鶏について行われている。
【００１３】
そして、採血検査の結果によりある個体群から抽出された鶏が病原菌に感染していなければ、その個体群に属する残りの鶏も病原菌に感染していないという判断がなされている。ところが、このような抽出検査では、採血検査を受けていない鶏の中に、鶏同士の間で感染することのないような病原菌を保有する鶏が存在すると、このような病原菌に感染した鶏を発見することができない。
【００１４】
このような抽出検査がなされるのは、数万羽から数百万羽の鶏を同時に飼育する場合に、鶏毎の個体識別が現状でなされていないことに起因している。しかし、今後は、病原菌に感染した鶏がその加工肉や卵の流通過程で確認された場合、その鶏の加工肉や卵の生産者を追跡調査によって特定することが求められると共に、更に、鶏やその卵の生産段階での病原菌感染を高精度で発見することも要求されるものと考えられる。
【００１５】
前記特許文献１によれば、複数羽の家禽を個体毎に識別コードに基づいて識別できるので、家禽を個体毎に管理することができる。例えば、採血検査や検便などにより病原菌感染のある家禽の存在が確認され、その家禽がその他多数の別の家禽の中に紛れ込んだ状態で飼育されていても、各家禽に付着された記憶タグに記憶される識別コードをリーダ手段によって読取って、採血検査により病原菌感染が確認された識別コードとを照合することによって、病原菌感染のある家禽を追跡調査して特定ができる。
【００１６】
また、家禽毎の成長過程に関する家禽管理情報は、入力手段によって識別コードに対応つけられながら記憶手段へ記憶でき、更に、出力手段によって管理者に対して提示できる。従って、管理者は、出力手段により家禽毎に家禽管理情報を提示させることによって、各家禽毎の飼育状況を確認でき、今後の管理方針を検討でき、その検討結果に基づいて管理者が家禽生産現場の作業者へ的確な指示を促すこともできる。
【００１７】
また、雛の時期から家禽に記憶タグを付着して管理しておけば、その家禽が雛から死亡されるまでの成長過程の追跡調査が可能となり、消費者からの問い合わせなどに対して、問い合わせの対象となっている家禽に関する管理情報を適宜提供できる。この結果、消費者に対して各家禽又はその卵などの生産物の安全性を証明でき、かかる生産物の信頼性の向上に寄与できる。
【００１８】
また、例えば、記憶タグに記憶された識別コードを読取ることによって、複数羽の家禽を各個体毎に識別することができるので、各家禽をゲージに閉じ込めてゲージ毎に家禽を識別管理する必要もない。従って、複数羽の家禽、例えば、数十羽以上の家禽を一所に放し飼いにして飼育する場合であっても、各家禽を個体毎に識別して個別に飼育管理することができる。
【００１９】
なお、下記特許文献２では、脚環への取り付けが可能な脚環用結束バンド及び脚環構造体が提案されている。
【特許文献２】実用新案登録第３１２６３２４号公報
【００２０】
脚環は、鳩等の鳥類の個々を識別する為に、鳥類の足に特定の識別番号が表示されたものであり、かかる識別番号を目視で確認することにより個々の鳥類の確認を行ってきている。
【００２１】
脚環は、国際的な規格に基づいて形成されており、基本的には、例えばアルミニウム等の軽量な金属或いは合成樹脂等で中空状の円筒形に形成されており、その外径は１０ｍｍ、高さが１０ｍｍ、内径が８ｍｍとなっている。
【００２２】
この特許文献２の脚環用結束バンドは、所定の長さと幅を有する細幅帯状体若しくは線状体から構成された本体部、当該本体部の一方の端部に設けられた挿入端部、当該本体部の他方の端部に設けられており、且つ中空状の挿入通路部を有し、当該挿入端部が当該挿入通路部内に不可逆的に挿入され且つ保持される係合保持部及び当該本体部の一部であって、当該本体部の中央部分と当該挿入端部との間の位置に設けられている、所定の情報を記憶しうると共に当該情報の受発信が可能である情報処理部とから構成されている。
【００２３】
特許文献２の脚環用結束バンドを脚環に取付ける場合には、先ず、当該脚環用結束バンドの当該挿入端部を当該脚環とレース鳩の脚部との間の空間部を介して挿通貫通させ、当該脚環を貫通した当該挿入端部を当該係合保持部の方向に曲げて移動させて当該係合保持部の一方の端部から当該挿入通路部内に挿入させ、当該挿入端部の先端部を当該係合保持部の当該挿入通路部の他方の端部から引き出して固定する。
【００２４】
なお、特許文献２では、不正使用に対する安全性も向上として、当該係合保持部の反対側の当該挿入通路部の端部から突出している当該挿入端部の先端部分を切断する事が記載されている。
【発明の開示】
【発明が解決しようとする課題】
【００２５】
前記特許文献１では、記憶タグは、家禽の一種である鶏の脚部に付着される脚環状に形成されているとされる。鶏の脚に装着するものであるため、タグに記憶されている情報を読取るには、鶏を捕獲して押えた状態で作業しなければならず、読取り作業が行いにくい。また、タグを鶏に装着する場合も、装着箇所が脚であるため、その作業には手間と時間を要する。
【００２６】
また、前記特許文献１でも脚環の使用を前提とするものであり、特許文献１と同様の欠点がある。
【００２７】
特に、全国飼養羽数が多く、飼養農家一軒当りの飼養羽数も他の家禽と比較して多い鶏については、個体管理にはタグの取付けや読取りが容易に行えることが要求される。
【００２８】
本発明の目的は前記従来例の不都合を解消し、特に飼養羽数の多い家禽、例えば、鶏に対して個体識別のためのタグを簡単、かつ、確実に、取付けることができ、また、タグに記憶された情報の読取りも容易に行える家禽用個体識別バンドを提供することにある。
【課題を解決するための手段】
【００２９】
本発明は前記目的を達成するため、請求項１記載の発明は、帯状輪体と、この帯状輪体の上縁から上内方に向かって斜めに突出して羽に引っ掛る鉤爪突起と、前記帯状輪体から吊下げた取付け片に取付けた個体情報の記録部とで構成することを要旨とするものである。
【００３０】
請求項１記載の本発明によれば、帯状輪体は、鶏等の足首に嵌めるだけでなく、鶏の頚部、または、羽根の付け根に嵌めることが可能であり、簡単に装着できる。しかも、装着後は、帯状輪体が一定の方向に生えている頚部の羽に引っ掛ると同時に、さらに鉤爪突起が羽の間に下から上方へと入り込んで羽の根元に引っ掛るから、帯状輪体が抜けたり、回転したり、下がったりすることがない。
【００３１】
また、帯状輪体と個体情報の記録部とを分け、個体情報の記録部は帯状輪体から吊下げた取付け片に取付けたので、帯状輪体ともに、個体情報が記憶された記録チップが鶏ごとに取付けられるから、簡単に装着できる。
【００３２】
また、鉤爪突起は内方に向かって突出しているから、鶏の成長を見越して頚部等に対して帯状輪体の径を大きめにしておいても、鉤爪突起は羽の間に入り込み、帯状輪体が頚部等から抜け出ることを防止できる。そして、サイズにゆとりのある径の帯状輪体を装着できるから、鶏の成長に伴う頚部等の圧迫を防止できる。
【００３３】
さらに、個体情報の読取りは、帯状輪体から吊下げた取付け片に取付けた記録部から行えばよく、この場合、取付け片はこれを簡単に掴むことができ、読取り作業が簡単に行えるだけでなく、読取り可能な距離も拡大する。
【００３４】
請求項２記載の本発明は、前記鉤爪突起は、２本が近接して並び、相互間に羽根軸を嵌込む隙間を形成することを要旨とするものである。
【００３５】
請求項２記載の本発明によれば、鉤爪突起は２本が一対となって、相互間で羽根軸を嵌込むことで、羽の間に確実に入り込み、抜け防止が図れる。
【００３６】
請求項３記載の本発明は、前記近接して並ぶ２本の鉤爪突起は、これら対が帯状輪体の周方向で、間隔を存して複数個所に設けることを要旨とするものである。
【００３７】
請求項３記載の本発明によれば、２本の鉤爪突起はこれら対が帯状輪体の周方向で間隔を存して複数個所に設けられるので、確実な係止が得られ、また、帯状輪体が安定して設置できる。
【００３８】
請求項４記載の本発明は、帯状輪体は、合成樹脂製帯片にその先端部からの差込みを行う貫通孔部をトンネル状に形成して、この貫通孔部に先端部からの差込みをして端部相互の重ね合わせで輪を形成することを要旨とするものである。
【００３９】
請求項４記載の本発明によれば、帯状輪体は、合成樹脂製帯片にその先端部からの差込みを行う貫通孔部をトンネル状に形成して、この貫通孔部に先端部からの差込みをして端部相互の重ね合わせで輪を形成するによるので、平坦な帯片から簡単に作ることができる。
【００４０】
請求項５記載の本発明は、貫通孔部は断面コ字形の切り起こしトンネルによるものであることを要旨とするものである。
【００４１】
請求項５記載の本発明によれば、貫通孔部を一体成形で、比較的堅牢な形状のものとして成形できる。
【００４２】
請求項６記載の本発明は、前記帯状輪体には、貫通孔部に差込みをした先端部の後戻り阻止片を形成したことを要旨とするものである。
【００４３】
請求項６記載の本発明によれば、後戻り阻止片により貫通孔部に差込みをした先端部の抜け出しを防止でき、帯状輪体が開放となり、離脱するのを防止できる。
【００４４】
請求項７記載の本発明は、後戻り阻止片は、帯状輪体の縁を切り起こして形成する跳上げ細片であり、この跳上げ細片は貫通孔部通過後に挿入方向とは逆向きに跳上がり、貫通孔部開口に係止することを要旨とするものである。
【００４５】
請求項７記載の本発明によれば、後戻り阻止片を簡単に形成することができる。
【００４６】
請求項８記載の本発明は、後戻り阻止片は、大きな引張り力により破断可能とすることを要旨とするものである。
【００４７】
請求項８記載の本発明によれば、後戻り阻止片は、大きな引張り力により破断可能とすることで、不正使用で帯状輪体を外すために貫通孔部に差込みをした先端部を抜ことして強く引っ張った時は、この後戻り阻止片が破断して再使用不能となる。特に、後戻り阻止片が破断の結果、帯状輪体を形成した後で、先端部１２が貫通孔部から抜け出てしまうものとなり、輪体形成ができないことになる。
【００４８】
請求項９記載の本発明は、合成樹脂製帯片の先端部近くに幅方向への溝を形成し、この溝を貫通孔部に差込みをした先端部の仮止用とすることを要旨とするものである。
【００４９】
請求項９記載の本発明によれば、帯状輪体を嵌める場合に、貫通孔部の開口に溝が係止して仮止として帯状輪体の径を大きめに設定しておくことができる。
【発明の効果】
【００５０】
以上述べたように本発明の家禽用個体識別バンドは、帯状輪体であり、特に飼養羽数の多い家禽、例えば、鶏に対して、この帯状輪体を頸等に嵌めることで、個体識別のためのタグを簡単、かつ、確実に、取付けることができるものである。また、タグに記憶された情報の読取りも容易に行え、さらに、羽に引っ掛る鉤爪突起により、装着後は抜けや、回転、下がりを確実に防止できる。また、帯状の取付け片に設けた記録部から個体情報を読取ることができるから、読取り作業が容易に行えるものである。
【発明を実施するための最良の形態】
【００５１】
以下、図面について本発明の実施形態を詳細に説明する。図１は本発明の家禽用個体識別バンドの１実施形態を示す斜視図、図４は鶏に装着した状態の斜視図で、本発明の家禽用個体識別バンドは、例えば鳥として鶏に使用するものであり、鶏１の頚部２、または、羽根１７の付け根、もしくは足首１８に嵌める帯状輪体３と、この帯状輪体３の上縁から上内方に向かって斜めに突出して羽根１９（図３参照）に引っ掛る鉤爪突起５、５と、前記帯状輪体３から吊下げた取付け片６に取付けた個体情報の記録部７とで構成する。
【００５２】
前記帯状輪体３は、材質としてプラスチックなどの軟質合成樹脂製の帯片を使用し、一方の端である根元部１４に先端部１２からの差込みを行う貫通孔部１０をトンネル状に形成して、該貫通孔部１０に先端部１２からの差込みをして端部相互の重ね合わせで輪を形成する。軟質合成樹脂としては、適宜の合成樹脂、例えば、ナイロン樹脂、ポリエステル樹脂、ポリプロピレン樹脂、ポリウレタン樹脂、ポリカーボネート樹脂等の公知の合成樹脂或いは機能性樹脂（エンプラ）を使用して一体的に成型される。
【００５３】
根元部１４は拡径した板体部として形成し、前記トンネル状に形成した貫通孔部１０は、この板体部に断面コ字形の切り起こしトンネルを形成してなる。従って、貫通孔部１０の下側は前記板体部に形成する窓穴となっている。
【００５４】
図５にも示すように、帯状輪体３を形成する帯片は、先端部１２は円形で、それから多少幅径を多少小さくした縮径部分１３が全体の長さの１／４程度続く。
【００５５】
帯状輪体３を形成する帯片のこの縮径部分と前記根元部１４以外の中間部分の上縁に鉤爪突起５，５を２本が近接させて並べて設け、鉤爪突起５，５の相互間の隙間９は図３に示すように羽根１９の主軸１９ａを嵌込むものとした。
【００５６】
鉤爪突起５，５は、前端が尖る針状のもので、先部分が傾斜するが、図示は省略したが、最先端部は直上に向けて鶏１を傷付けないように配慮する。
【００５７】
また、前記近接して並ぶ２本の鉤爪突起５，５は、これら対が前記中間部分の上縁に間隔を存して設け、その結果、鉤爪突起５，５は帯状輪体３の周方向で間隔を存して複数個所に設けられることになる。
【００５８】
また、帯状輪体３を形成する帯片のこの縮径部分と前記根元部１４以外の中間部分に、上下方向に開口する貫通孔部１５を、これも断面コ字形の切り起こしトンネルにより形成する。
【００５９】
前記帯状輪体３には、貫通孔部１０に差込みをした先端部１２の後戻り阻止片８，８を形成する。
【００６０】
この後戻り阻止片８，８は、帯状輪体３を形成する帯片の上下の縁を切り起こして形成する跳上げ細片であり、この跳上げ細片は先端部１２の貫通孔部１０の通過後に挿入方向とは逆向きに跳上がる。後戻り阻止片８，８の先端は鉤玉８ａとする。
【００６１】
後戻り阻止片８，８は、貫通孔部１０を通過する際には、跳上げにはならず、その後、跳上がり、これが貫通孔部１０の開口に係止する（図１参照）。
【００６２】
また、後戻り阻止片８，８は、一度貫通孔部１０に先端部１２を通した後で、再度引き戻して抜こうとする際に、大きな引張り力が後戻り阻止片８，８に加わり、これが破断できる強度のものとする。
【００６３】
この後戻り阻止片８，８の破断の結果、帯状輪体３を形成した後で、先端部１２が貫通孔部１０から抜け出てしまうものとなり、輪体形成ができないことになる。
【００６４】
また、先端部１２近くに幅方向への溝１１を形成し、この溝１１を貫通孔部１０に差込みをした先端部１２の仮止用とする。
【００６５】
前記取付け片６は、図示の例は帯状としたが、特にダク形状として細長に限定されるものでなく、円形、矩形などでもよく、羽根１９を損傷しないよう可撓性部材で形成し、これに記録部７として、ＩＣタグ、ＩＣチップ、バーコード、ＱＲコードなどを取付けた。
【００６６】
前記取付け片６は、貫通孔部１５への差込み部として矢尻状の係止部１６を形成し、この矢尻状の係止部１６は貫通孔部１５を貫通した後は、通過時に一度縮んだハの字の跳ね上げ片が広がり、貫通孔部１５の入り口に係止して、抜け出しが防止される。
【００６７】
記録部７は、マイクロ波方式などの非接触通信方式によってデータ（情報）の読み出し及び書込みが可能なＩＣ（集積回路）が内蔵されており、このＩＣタグはＲＦ−ＩＤ（Radio Frequency-IDentification）とも称される。なお、記録部７の通信距離は、例えば、略数十ｃｍから数ｍのものであれば良い。
【００６８】
ＩＣタグには、主に、Ｒ／Ｗユニットからの指令を受けてＩＣタグの動作を制御する制御装置であり、メモリと、復調回路と、変調回路とそれぞれ接続されている制御回路と、制御回路により各種データが読み出され又は書き込まれる不揮発性の書換可能な記憶装置であり、その一部にＩＣタグが付着される鶏１に関する識別コード等が記憶されているメモリと、非接触通信に用いられるアンテナであり、Ｒ／Ｗのアンテナ回路からの電磁波（電波）を受信すると共に、制御回路により読み出された識別コード等をＲ／Ｗへ送信するアンテナ回路と、アンテナ回路により受信される電磁波を受けて、ＩＣタグの各部へ電力供給する電源回路と、アンテナ回路により受信したアナログ信号をデジタル信号に復調して制御回路へ出力する復調回路と、制御回路から出力されるデジタル信号をアナログ信号に変調してアンテナ回路へ出力する変調回路とが設けられている。
【００６９】
記録部７に内蔵されるＩＣタグには、鶏１に関する各種情報を電子情報として記憶可能であり、この電子情報には複数羽の鶏１を各個体毎に識別するため各鶏１ごとに付与される識別コードが含まれている。この識別コードは、各鶏１ごとに異なる文字（記号を含む。以下同じ。）列で構成されており、この識別コードに基づいて複数羽の鶏１の個体識別をすることができる。
【００７０】
よって、例えば、約数万羽の鶏１を飼育する場合であっても、その各鶏１に異なる識別コードが記憶された記憶タグをそれぞれ付着することで、その数百万羽の鶏１を一羽ずつ個体識別できるのである。
【００７１】
次に使用法を説明する。使用に際しては、帯状輪体３は図５、図６に示すように、軟質合成樹脂製の帯片は平板の状態であり、貫通孔部１０に先端部１２からの差込みを行い、端部相互の重ね合わせで輪を形成する。
【００７２】
このように先端部１２を貫通孔部１０に差込み、通過させるが、通過後に図８に示すように、溝１１が貫通孔部１０の開口縁に係止し、仮止輪体となる。
【００７３】
帯状輪体３は頚部２に対して、これよりも大きめの径のものとして被せる。
【００７４】
次いで、帯状輪体３の径を縮めるのに、後戻り阻止片８，８が貫通孔部１０を通過する際には、縮んだ状態で跳上げにはならず、通過が許容でき、その後、跳上がり、これが貫通孔部１０の開口に係止する（図７参照）。
【００７５】
なお、後戻り阻止片８，８は、一度貫通孔部１０に先端部１２を通した後で、再度引き戻して抜こうとする際に、大きな引張り力が後戻り阻止片８，８に加わり、これが破断される。
【００７６】
帯状輪体３を頚部２に装着した状態では、帯状輪体３が頚部２において下方に向かって一定の方向に生えている羽根１９に引っ掛るから、上方に抜け出ることが阻止される。
【００７７】
同時に、鉤爪突起５、５が羽根１９の間にささるようにして、羽根１９の主軸１９ａの根元（羽柄）が隙間９に入りこみ、その結果、鉤爪突起５、５が下から上方に向かって引っ掛り、帯状輪体３の回転や抜けが阻止される。これにより、帯状輪体３は鶏１の頚部２に引っ掛って取付けられる。
【００７８】
帯状輪体３は鶏１の頚部２に対してこれよりも大きめのものを装着することで、頚廻りにゆとりが生じ、鶏１の成長に伴う頚部圧迫に対応でき、首締め防止となる。
【００７９】
この帯状輪体３を装着した鶏１の個体情報を知るには、取付け片６の記録部７に記録されている情報を読取る。この場合、取付け片６は帯状に形成してあるから、動きまわる鶏１に対して取付け片６を掴み易く、記録部７からの情報を容易に得ることができる。
【００８０】
図示は省略するが、読取りはＲ／Ｗで行い、Ｒ／Ｗは、マイクロ波方式など非接触通信方式によって記録部７に内蔵されるＩＣタグと双方向通信可能に形成されており、ＩＣタグに記憶される識別コードを含む電子情報（以下「識別コード等」という。）を読取ると共に、必要に応じてＩＣタグに記憶される電子情報を書き込むための機器である。
【００８１】
Ｒ／Ｗユニットには、ＣＰＵ、ＲＯＭ、ＲＡＭ、入出力回路、電源回路と、操作パネルと、アンテナ回路と、復調回路と、変調回路と、ディスプレイと、インターフェイスとが設けられている。
【００８２】
また、Ｒ／Ｗは、操作パネルやプリンタを付設することもできる。操作パネルは、識別コード等の読取動作や、新たな識別コード等の書込み動作や、プリンタによる印刷動作など、Ｒ／Ｗが備える各種機能を使用する場合に操作される。
【００８３】
プリンタは、Ｒ／Ｗと通信ケーブルを介して電気的に接続され、Ｒ／Ｗによって記憶タグから読取られた鶏１の識別コードを、その識別コードに対応するバーコードに変換して記録媒体に印刷する。
【００８４】
このバーコードが印刷された粘着ラベルを、鶏１から採取された検査試料容器に貼着されると、その検査試料容器に貼付されたラベルの識別コードをバーコードリーダにより読取ることで、その検査試料容器に収容される検査試料が採取された鶏１の識別コードを知ることができ、この識別コードから対応する鶏１を特定できる。
【００８５】
前記取付け片６の帯状輪体３への取り付けは、帯状輪体３を形成する前の平板の段階の時点、帯状輪体３として輪を形成した後の時点、鶏１に嵌めた後の時点のいずれでもよい。
【００８６】
また、取付け片６が帯状で長いものであっても、可撓性部材で形成してあるから、羽根１９を傷めることはない。
【００８７】
取付け片６を掴む際等に、帯状輪体３に大きな引張力が加わったときは、後戻り阻止片８が破断するから、引張力によって鶏１の頚部２が傷つくおそれもない。
【００８８】
以上の実施形態は、帯状輪体３を鶏１の頚部２に嵌める場合について説明したが、羽根１７の付け根、もしくは足首１８に嵌めるようにしてもよい。
【００８９】
さらに、以上の実施形態は、家禽として鶏の場合について説明したが、アヒルやダチョウ等他の家禽、もしくは鳩、小鳥等のペット、その他の野鳥にも本発明の家禽用個体識別バンドは適用でき、用途に応じて大きさ等は適宜選定する。
【図面の簡単な説明】
【００９０】
【図１】本発明の家禽用個体識別バンドの１実施形態を示す斜視図である。
【図２】本発明の家禽用個体識別バンドの１実施形態を示す展開した状態の正面図である。
【図３】羽との係合関係を示す説明図である。
【図４】鶏に装着した状態の斜視図である。
【図５】帯状輪体の形成部分の展開状態の正面図である。
【図６】帯状輪体の形成部分の展開状態の平面図である。
【図７】本発明の家禽用個体識別バンドの後戻り阻止部分の説明図である。
【図８】本発明の家禽用個体識別バンドの仮止部分の説明図である。
【符号の説明】
【００９１】
１…鶏                            ２…頚部
３…帯状輪体                      
５…鉤爪突起                      ６…取付け片
７…記録部                        ８…後戻り阻止片
８ａ…鉤玉                        ９…隙間
１０…貫通孔部                    １１…溝
１２…先端部                      １３…縮径部分
１４…根元部
１５…貫通孔部                    １６…矢尻状の係止部
１７…羽根                        １８…足首
１９…羽根
１９ａ…主軸
【図１】
0004456144.tif 000002
【図２】
0004456144.tif 000003
【図３】
0004456144.tif 000004
【図４】
0004456144.tif 000005
【図５】
0004456144.tif 000006
【図６】
0004456144.tif 000007
【図７】
0004456144.tif 000008
【図８】
0004456144.tif 000009